(57)【要約】【課題】立位型の撮影と臥位型の撮影の双方において、被験者の様々な部位を撮影可能なＸ線撮影装置を提供する。【解決手段】Ｘ線を照射する照射部と照射部より照射されたＸ線を受光するための受像部を有するＸ線撮影装置であって、本体部２と、本体部２に上下動自在に装着された支柱３と、支柱３に装着された照射側アーム４及び受光側アーム１１と、照射側アーム４に装着された照射部５と、受光側アーム１１に装着された受像部１２を具備して、照射側アーム５は上下方向に回動自在であり、受光側アーム１１は取外し自在であり、照射部５は、照射側アーム４に沿って照射側アーム４の長手方向へ移動自在であるとともに、照射側アーム４の回動方向と同方向に約３６０度回動自在であり、照射部５を受像部１２側に向けることで立位での撮影を可能とし、照射部を下側に向けることで臥位での撮影を可能にした。【選択図】図１
2019097649.tif 000002
【特許請求の範囲】
【請求項１】
Ｘ線を照射するＸ線照射部と該Ｘ線照射部より照射されたＸ線を受光するための受像部を有するＸ線撮影装置であって、
本体部（２）と、
該本体部（２）に上下動自在に装着された支柱（３）と、
該支柱（３）に装着された照射側アーム（４）及び受光側アーム（１１）と、
前記照射側アーム（４）に装着された照射部（５）と、
前記受光側アーム（１１）に装着された受像部（１２）と、を具備して、
前記照射部（５）は、
前記照射側アーム（４）に沿って照射側アーム（４）の長手方向へ移動自在であるとともに、約３６０度回動自在である、ことを特徴とするＸ線撮影装置。
【請求項２】
前記照射側アーム（４）が上下方向に回動自在であることを特徴とする請求項１に記載のＸ線撮影装置。
【請求項３】
前記受光側アーム（１１）が取外し自在であることを特徴とする請求項１又は請求項２に記載のＸ線撮影装置。
【請求項４】
前記受像部（１２）は、被写体を透過したＸ線を可視化することで被写体の内部を撮影するための１又は複数の受光体を出し入れ自在に内蔵可能としたことを特徴とする請求項１乃至請求項３のいずれかに記載のＸ線撮影装置。
【請求項５】
前記照射部（５）は、回動角度を任意の角度で固定可能にしたことを特徴とする請求項１乃至請求項４に記載のＸ線撮影装置。
【発明の詳細な説明】
【技術分野】
【０００１】
本発明は、Ｘ線を用いて人体の内部を撮影するＸ線撮影装置に係り、より詳しくは、一台の装置で被験者の様々な部位を撮影可能なＸ線撮影装置に関する。
【背景技術】
【０００２】
従来から、Ｘ線を用いて人体の内部を撮影するＸ線撮影装置が医療分野で広く用いられており、このＸ線撮影装置には、被写体である被験者を立たせた状態で撮影する立位型や、被写体である被験者を撮影台上に寝かせた状態で撮影する臥位型がある。
【０００３】
ここで、立位型のＸ線撮影装置について図面を参照して説明すると、図８は、立位型のＸ線撮影装置を示した図であり、図において３１が立位型のＸ線撮影装置である。
【０００４】
そして、この立位型のＸ線撮影装置３１は、支柱３３に支持された受像部３２を有しており、受像部３２には、撮影用フィルムが収容されたカセッテや、撮像素子等が収容された受光体が、挿抜自在に収容されている。
【０００５】
また、受像部３２は、モーターや、カウンターバランス機構等のバランサー装置によって、支柱３３に対して昇降自在とされており、任意の位置で固定可能としている。
【０００６】
そして、この立位型のＸ線撮影装置３１で患者等のＸ線撮影を行う際には、受像部３２に対向した被験者の後方に配置したＸ線放射装置からＸ線を照射することで、Ｘ線が、被験者を透過して、被験者の体内を撮影用フィルムや撮像素子等に可視化する。
【０００７】
一方、図９は臥位型のＸ線撮影装置を示した図であり、図において３４が臥位型のＸ線撮影装置である。そして、臥位型のＸ線撮影装置３４は、撮影用テーブル３５と、撮影用テーブル３５を支えて、かつ上下方向に駆動する昇降駆動部３６を有しており、昇降駆動部３６の上部に設けられた昇降板３７の上面には、図示されていないが、Ｘ方向に自由に移動できるＸ方向支え台と、該Ｘ方向支え台上においてＹ方向に自由に移動できるＹ方向支え台が設けられ、Ｙ方向支え台に撮影用テーブル３５が固定されている。
【０００８】
また、前記昇降駆動部３６の周囲は蛇腹で覆われており、その内部には、昇降板３７と下部の基板間に、パンダグラフ機構のような昇降板３７を上下するための機構が内蔵されている。
【０００９】
更に、昇降板３７の中央には、撮影用フィルムが収容されたカセッテや撮像素子等が収容された受光体３８が配置されており、Ｘ線撮影の際には、天井方向からＸ線放射装置が垂下され、このＸ線放射装置から放射されたＸ線が、撮影用テーブル３５上に仰臥あるいは横臥した被験者を透過し、撮影用フィルムや撮像素子等に被験者の内部を可視化する。
【００１０】
このように、従来のＸ線撮影装置では、被験者を立たせた状態で撮影する立位型と、被験者を撮影台上に寝かせた状態で撮影する臥位型があり、診断等のためにはこの立位型と臥位型の双方のＸ線撮影装置を備えることが好ましい。即ち、従来の立位型のＸ線撮影装置では、受像部が胸部撮影に適したものが多く比較的小さいために、全身撮影を行うことが出来ない場合が多いために、立位型のＸ線撮影装置の他に臥位型のＸ線撮影装置を備えることは好ましい。
【００１１】
しかし、Ｘ線撮影装置を設置するレントゲン室の広さ等によっては、立位型及び臥位型の双方を配置することができない場合が考えられる。特に、立位型のＸ線撮影装置はＸ線照射機がＸ線撮影装置の後方側に配置される一方、臥位型のＸ線撮影装置はＸ線照射機が撮影用テーブルの上方に配置されるため、立位型のＸ線撮影装置と臥位型のＸ線撮影装置でＸ線照射機を兼用できず、そのために広いスペースが必要であるため、レントゲン室のスペースが狭い場合には、立位型及び臥位型の双方を配置することができないとともに、立位型及び臥位型の双方を配置すると、コストがかかってしまうという問題点も指摘できる。
【００１２】
そこで、このような問題点を解決するために、従来、両端側にＸ線管装置及びＸ線受像装置を対向するよう設けられたアームを備えるとともに、このアームを、Ｘ線管部とＸ線受像部の中心を結ぶＸ線中心線の垂直面上の方向と位置を変更可能とすることで、被験者の立位、座位、及び臥位の何れの方向からも被験者を撮影できるようにしたＸ線撮影装置が提案されている。
【先行技術文献】
【特許文献】
【００１３】
【特許文献１】再表２００５−０６５５４６号公報
【発明の概要】
【発明が解決しようとする課題】
【００１４】
しかしながら、この従来のＸ線撮影装置では、アームの両端側にＸ線管装置及びＸ線受像装置を対向するよう設けているために、臥位状態の被験者を側方から撮影することは可能だが、臥位状態の被験者の胸部等を上方から撮影することが事実上不可能であるという問題点が生じる。
【００１５】
即ち、一般的に、被験者を臥位状態にして胸部等を上方から撮影する場合には、被験者を撮影用テーブルに寝かした状態で上方からＸ線を被験者に照射して行うが、前述のＸ線撮影装置では、アームの両端側にＸ線管装置及びＸ線受像装置を対向するよう設けているために、被験者を寝かした状態で胸部の撮影をする場合には、受像装置の上に被験者が寝なければ撮影を行うことができず、事実上は撮影が不可能である。
【００１６】
そこで、本発明は、立位型の撮影と臥位型の撮影の双方において、被験者の様々な部位を撮影可能なＸ線撮影装置を提供することを課題としている。
【課題を解決するための手段】
【００１７】
本発明のＸ線撮影装置は、Ｘ線を照射するＸ線照射部と該Ｘ線照射部より照射されたＸ線を受光するための受像部を有するＸ線撮影装置であって、
本体部と、
該本体部に上下動自在に装着された支柱と、
該支柱に装着された照射側アーム及び受光側アームと、
前記照射側アームに装着された照射部と、
前記受光側アームに装着された受像部と、を具備して、
前記照射部は、
前記照射側アームに沿って移動自在であるとともに、前記照射側アームの回動方向と同方向に約３６０度回動自在である、ことを特徴としている。
【発明の効果】
【００１８】
本発明のＸ線撮影装置では、本体部と、この本体部に上下動自在に装着された支柱を有しており、支柱には、照射部が装着された照射側アームと、照射部が装着された受光側アームが装着されている。そして、照射部は、照射側アームに沿って移動自在であるとともに、前記照射側アームの回動方向と同方向に約３６０度回動自在としている。そのために、照射部を照射側アームに沿って移動することで、様々な部位を撮影することが可能である。
【００１９】
また、照射部を受像部側に向けることで立位型の撮影が可能であるとともに、照射部を下側に回動することで、照射部の下方に撮影用テーブルを配置して、臥位型の撮影を行うことも可能である。
【図面の簡単な説明】
【００２０】
【図１】本発明のＸ線撮影装置の斜視図である。
【図２】本発明のＸ線撮影装置の斜視図である。
【図３】本発明のＸ線撮影装置の正面図である。
【図４】本発明のＸ線撮影装置の正面図であり、受光側アームを交換した状態を示している。
【図５】本発明のＸ線撮影装置の正面図であり、照射部を下側に向けた状態を示している。
【図６】本発明のＸ線撮影装置の正面図であり、照射部を移動した状態を示している。
【図７】本発明のＸ線撮影装置の正面図であり、支柱を上昇させた状態を示している。
【図８】一般的な立位型のＸ線撮影装置を説明するための図である。
【図９】一般的な臥位型のＸ線撮影装置を説明するための図である。
【発明を実施するための形態】
【００２１】
本発明のＸ線撮影装置は本体部を有しており、この本体部には、支柱が上下動自在に装着されている。
【００２２】
そして、支柱には照射側アームと受光側アームが装着されており、照射側アームには、被験者に向けてＸ線を照射するための照射部が取り付けられ、受光側アームには、照射部から照射されて被験者を透過したＸ線を受光するための受像部が取り付けられている。
【００２３】
また、照射部は、照射側アームに沿って、照射側アームの長手方向に移動自在であるとともに、約３６０度回動自在としており、更にこのとき、照射部は、回動角度を任意の角度で固定可能にするとよい。
【００２４】
ここで、照射側アームを上下方向に回動自在にするとよく、これにより、照射部が照射側アームに沿って移動自在であることとも相まって、更に、様々な部位を撮影することが可能となる。
【００２５】
また、受光側アームを取外し自在にするとよく、これにより、異なった形状のアームを用いることができ、撮影の方法のバリエーションを増やすことが可能である。
【００２６】
更に、受像部は、被写体を透過したＸ線を可視化することで被写体の内部を撮影するための１又は複数の受光体を出し入れ自在に内蔵可能にすると良い。
【実施例１】
【００２７】
本発明のＸ線撮影装置の実施例について図面を参照して説明すると、図１及び図２は本実施例のＸ線撮影装置の斜視図である。そして、図において１が本実施例のＸ線撮影装置であり、図において２は、本体部である。
【００２８】
即ち、本実施例のＸ線撮影装置１は本体部２を有しており、前記本体部２は、縦型の箱状であり、中空としている。そして、この本体部２内には、支柱３が、上下方向に移動自在に挿入されている。即ち、前記本体部２内には、モーター及びこのモーターで作動するボールネジが備えられており、ボールネジによって前記支柱３を昇降自在としている。従って、モーターを駆動することで前記支柱３を昇降可能であるとともに、モーターを停止することで支柱３を任意の位置で固定可能としている。
【００２９】
次に、前記支柱３には、照射側アームが取り付けられている。即ち、図において４が照射側アームであり、本実施例において前記照射側アーム４は、平板状としており、基端部を前記支柱３に軸支しており、これにより、上下方向に回動自在としている。但し、前記照射側アーム４は必ずしも回動自在にする必要は無く任意の角度で前記支柱３に固定してもよい。
【００３０】
そして、照射側アーム４には、被験者に向けてＸ線を照射するための照射部が装着されている。即ち、図において５が照射部であり、内部にはＸ線を照射するためのＸ線管を具備している。
【００３１】
ここで、前記照射部５について説明すると、本実施例において前記照射部５は、前記照射側アーム４に沿って、照射側アーム４の長手方向に移動自在としており、更に、照射側アームの回動方向と同じ方向へ、約３６０度回動自在としている。
【００３２】
即ち、前記照射側アーム４にはガイドレール６が長手方向に沿って設置されており、このガイドレール６にガイドされて照射側アーム４の長手方向へ移動自在な可動部７が、照射側アーム４に連結されている。そして、前記可動部７には、前記ガイドレール６を把持するベアリングが配置されており、これにより、前記可動部７は前記ガイドレール６上を移動自在としている。
【００３３】
また、前記可動部７には連結部８が装着されており、この連結部８には前記照射部５が、前記照射側アーム４の正面側の面に沿って、即ち、前記照射側アーム４の回動方向と同方向に、回動自在に連結されている。そしてこれにより、前記照射部５は、可動部７及び連結部８とともに前記照射側アーム４の長手方向に沿って移動自在であり、更に、前記照射側アーム４の回動方向と同方向に約３６０度回動自在としている。
【００３４】
なお、本実施例においては、前記照射部５と前記連結部８との間にブレーキ板を配置するとともに、このブレーキ板を２枚の摩擦部材が挟持してブレーキ手段を構成し、更に、前記照射部５をブレーキ手段側に付勢し、これにより、前記照射部５の回動に負荷を発生させ、照射部５を任意の角度で停止、保持可能とし、即ち、照射部５の回動角度を任意の角度で固定可能としている。
【００３５】
また、本実施例においては、前記照射部５に、前記連結部８側に向けて９０度刻みでボールプランジャーを突出するとともに、連結部側には前記ボールプランジャーが嵌合する溝を形成し、照射部５を９０度回動する度にクリック感を発生させて、９０度毎の回動を操作者に認知させることとしている。
【００３６】
このように、本実施例のＸ線撮影装置１では、照射部５を備えた照射側アーム４が上下方向に回動自在であり、照射部５は、照射側アーム４の長手方向に移動自在であるとともに照射側アーム４の回動方向と同じ方向へ約３６０度回動自在であるために、被験者の様々な部位を撮影することが可能である。また、照射部５を下側に向け、照射部５の下側にＸ線撮影用のテーブルを配置することで、被験者の臥位でのＸ線撮影を行うことも可能である。
【００３７】
なお、図において９はガードバーであり、１０はメッシュカバーである。即ち、本実施例において前記照射部５は、後方側にガードバー９が配置され、このガードバー９には、メッシュカバー１０が取り付けられている。
【００３８】
次に、図において１１は受光側アームである。即ち、本実施例において前記支柱３には、受光側アーム１１が取り付けられており、この受光側アーム１１の先端部には、被験者のＸ線撮影を行うめの受像部１２が備えられている。
【００３９】
そして、前記受像部１２は、被験者を透過したＸ線を可視化することで被写体の内部を撮影するための受光部を挿抜自在に収容可能としている。即ち、前記受像部１２には側部に挿入口１３が形成されており、この挿入口１３を介して、受光部を挿抜自在に収容可能としている。そして、受光部には、Ｘ線により感光する撮影用フィルムを収容するカセッテや撮像素子等の受光体を内蔵可能としている。
【００４０】
ここで、本実施例において前記受光側アーム１１は、前記支柱２に対して挿抜自在としている。即ち、本実施例のＸ線撮影装置１においては、前記受光側アーム１１を取り換え自在としており、これにより、撮影場所や撮影部位等の条件等に応じて、様々なバリエーションの受像部を用いることを可能にしている。例えば、図４は受光側アーム１１を図１に示す受光側アーム１１とは異なったものにした状態のＸ線撮影装置２１を示している。即ち、図１に示す受光側アーム１１は、正面視野で屈曲部を備えた形状としているのに対して、図４に示す受光側アーム１１では直線状のアームとしている。
【００４１】
なお、図において１４はメッシュ板である。即ち、本実施例において前記受光側アーム１１の正面側の表面には、メッシュ板が配置されている。また、本実施例において前記受光側アーム１１は、前記支柱２の上部に、ボルトにより固定することとしている。但し、前記受光側アーム１１は、必ずしも取り外し自在にする必要はなく、前記支柱２に固定して取外し不可能にしてもよい。
【００４２】
次に、このように構成される本実施例のＸ線撮影装置１の作用について説明すると、本実施例のＸ線撮影装置で被験者のＸ線撮影を行う場合には、まず、撮影の準備として、Ｘ線により感光する撮影用フィルムを収容するカセッテや撮像素子等の受光体を１又は複数枚、受光部に内蔵するとともに、この受光部を、挿入口１３を介し受像部１２に収容する。そして、立位、あるいは椅子に座っての撮影を行う場合には、照射部５の照射面を受像部１２側に向けて、更に、被験者の体型や撮影する部位に合わせて、本体２に対する支柱３の高さ、照射部５の位置、角度を調整する。そして、受像部１２の正面に被験者を立たせた状態で、照射部５から被験者に向けてＸ線を照射する。そうすると、照射されたＸ線が被験者を透過して、それにより、被験者の体内を撮影用フィルムや撮像素子等に可視化することが可能となる。
【００４３】
次に、臥位による被験者のＸ線撮影を行う場合には、照射部５を約９０度回動して下向きにするとともに、照射部５の下方に、受像部を備えた撮影用のテーブル（図示せず）を設置する。そして、被験者を撮影用テーブルに寝かせた状態で、照射部５の位置を調整したうえで、照射部５から被験者に向けてＸ線を照射する。そうすると、照射されたＸ線が被験者を透過して、それにより、被験者の体内を撮影用フィルムや撮像素子等に可視化することが可能となる。
【００４４】
そしてこのとき、本実施例のＸ線撮影装置では、本体２に対して支柱３の上下方向の高さを自在にすることができるので、被験者の身長に対応させて正確に受像部１２及び照射部５の位置を調整することができる。
【００４５】
また、照射側アーム４が上下方向に回動自在であり、照射部５は、照射側アーム４の長手方向に移動自在であるとともに、照射側アームの回動方向と同じ方向へ約３６０度回動自在であるため、被験者の様々な部位を撮影することが可能である。
【００４６】
更に、照射部５を下方向に向けることにより、前述したように、被験者の臥位でのＸ線撮影を行うことも可能である。
【００４７】
更また、受光側アームを取外し自在としており、異なった形状のアームを用いることができるので、撮影の方法のバリエーションを増やすことが可能である。
【００４８】
なお、図５は照射部５を約９０度回動して下側に向けている状態を示した図であり、図６は照射部５を照射側アーム４に沿って支柱３の近傍まで移動させた状態を示した図であり、図７は支柱３を上昇させた状態を示した図である。
【００４９】
このように、本実施例のＸ線撮影装置では、照射部を受像部側に向けることで立位型の撮影が可能であるとともに、照射部を下側に回動することで、照射部に撮影用テーブルを配置して、臥位型の撮影を行うことも可能であり、更に、立位及び臥位での被験者の様々な部位を撮影することが可能である。
【産業上の利用可能性】
【００５０】
本発明は、一台の装置で、立位及び臥位での被験者の様々な部位を撮影可能であるため、Ｘ線撮影装置の全般に適用可能である。
【符号の説明】
【００５１】
１、２１    Ｘ線撮影装置
２    本体部
３    支柱
４    照射側アーム
５    照射部
６    ガイドレール
７    可動部
８    連結部
９    ガードバー
１０    メッシュカバー
１１    受光側アーム
１２    受像部
１３    挿入口
１４    メッシュ板
【図１】
2019097649.tif 000003
【図２】
2019097649.tif 000004
【図３】
2019097649.tif 000005
【図４】
2019097649.tif 000006
【図５】
2019097649.tif 000007
【図６】
2019097649.tif 000008
【図７】
2019097649.tif 000009
【図８】
2019097649.tif 000010
【図９】
2019097649.tif 000011